(57)【要約】【課題】  従来にない新規なドレンアップ配管用支持金具を提供することにある。【解決手段】  ドレンアップ配管用支持金具は、空調機器を吊り下げている吊りボルト及び／又はその近傍の吊りボルト並びにそれらの吊りボルトに取り付けられている全ネジボルトに係止する係止部２０と、係止部２０に接続し、ドレンアップ配管をその延伸方向に支持可能なバンド部３０と、を備えるものである。【選択図】  図１
2017110871.tif 000002
【特許請求の範囲】
【請求項１】
空調機器に用いられる断熱可撓性を有するドレンアップ配管用の支持金具であって、
当該ドレンアップ配管用支持金具は、
空調機器を吊り下げている吊りボルト及び／又はその近傍の吊りボルト並びにそれらの吊りボルトに取り付けられている全ネジボルトに係止する係止部と、
係止部に接続し、ドレンアップ配管をその延伸方向に支持可能なバンド部と、
を備えたことを特徴とするドレンアップ配管用支持金具。
【請求項２】
係止部は、吊りボルトに対してバネ機能を有するものであり位置調整が可能であることを特徴とする請求項１記載のドレンアップ配管用支持金具。
【請求項３】
バンド部は、係止部に回転可能に接続されていることを特徴とする請求項１又は２記載のドレンアップ配管用支持金具。
【請求項４】
バンド部は、ドレンアップ配管の被覆の破損を防止するための加工が施されていることを特徴とする請求項１から３のいずれかに記載のドレンアップ配管用支持金具。
【請求項５】
バンド部は、挿入したドレンアップ配管とアジャストするためにバンド部とドレンアップ配管との間に介在させるアジャスター部材又は／及びバンド部の一部を内側へ切り起こした加工部を備えたことを特徴とする請求項１から４のいずれかに記載のドレンアップ配管用支持金具。
【請求項６】
係止部とバンド部の間に介在させるオフセット部を備えたことを特徴とする請求項１から５のいずれかに記載のドレンアップ配管用支持金具。
【請求項７】
オフセット部は、係止部とバンド部の間の寸法を調整可能とすることを特徴とする請求項６記載のドレンアップ配管用支持金具。
【発明の詳細な説明】
【技術分野】
【０００１】
本願発明は、空調機器に用いられる断熱可撓性を有するドレンアップ配管用の支持金具に関するものである。
【背景技術】
【０００２】
ドレンアップ配管（工法）は、これまでの「塩ビ管＋保温材」に代わって開発されたものであるが、ドレンアップ配管を吊り支持するために、専用にアンカーと全ネジと吊りバンドが必要であった。
【０００３】
このような課題を解決するために、特許文献１に「空調室内機のドレン管と、該ドレン管から排出されたドレンを室外に導くためのドレン横走り管とを連結するホース継手と、前記空調室内機を天井部に吊すための吊り部に付設され、前記ホース継手を吊持する吊持部とを備えることを特徴とする空調室内機のドレンアップ配管」が開示されている。
【先行技術文献】
【特許文献】
【０００４】
【特許文献１】実用新案登録第３１５０９２２号公報
【発明の概要】
【発明が解決しようとする課題】
【０００５】
しかし、上記特許文献１に開示された考案には、次のような課題を有している。
（１）空調機器を吊り下げている全ネジに取り付けることはできるが、配管施工後に位置調整が必要な場合は、当該支持部材（吊持部）を一旦取り外した後に、再度取り付ける必要がある。
（２）ドレンアップ配管が水平に支持される（施工状況にもよるが、ドレンアップ配管を素直に支持するためには、鉛直方向（９０度）が自然である）。
（３）係止される吊りボルトとドレンアップ配管との距離が近い（施工状況によっては、ドレンアップ配管が引っ張られてしまうおそれがある）。
【０００６】
そこで、上記課題を解決できる新規なドレンアップ配管用支持金具を提供すべく鋭意試験・研究を行い、本願発明を完成するに至った。
【課題を解決するための手段】
【０００７】
上記目的を達成するために、第１の発明は、空調機器に用いられる断熱可撓性を有するドレンアップ配管用の支持金具であって、当該ドレンアップ配管用支持金具は、空調機器を吊り下げている吊りボルト及び／又はその近傍の吊りボルト並びにそれらの吊りボルトに取り付けられている全ネジボルトに係止する係止部と、係止部に接続し、ドレンアップ配管をその延伸方向に支持可能なバンド部と、を備えたことを特徴とするドレンアップ配管用支持金具である。
第２の発明は、係止部が、吊りボルトに対してバネ機能を有するものであり位置調整が可能であることを特徴とする同ドレンアップ配管用支持金具である。
第３の発明は、バンド部が、係止部に回転可能に接続されていることを特徴とする同ドレンアップ配管用支持金具である。
第４の発明は、バンド部が、ドレンアップ配管の被覆の破損を防止するための加工が施されていることを特徴とする同ドレンアップ配管用支持金具である。
第５の発明は、バンド部が、挿入したドレンアップ配管とアジャストするためにバンド部とドレンアップ配管との間に介在させるアジャスター部材又は／及びバンド部の一部を内側へ切り起こした加工部を備えたことを特徴とする同ドレンアップ配管用支持金具である。
第６の発明は、係止部とバンド部の間に介在させるオフセット部を備えたことを特徴とする同ドレンアップ配管用支持金具である。
第７の発明は、オフセット部が、係止部とバンド部の間の寸法を調整可能とすることを特徴とする同ドレンアップ配管用支持金具である。
【発明の効果】
【０００８】
上記本願発明によれば、以下のような効果を有する。
（１）ドレンアップ配管用支持金具が、空調機器及び／又はその近傍の吊りボルト並びにその吊りボルトに取り付けられている全ネジボルトに係止する係止部と、係止部に接続し、ドレンアップ配管をその延伸方向に支持可能なバンド部と、を備えることで、ドレンアップ配管を延伸方向へ取り付けることが可能となり、自然な形で無理なく支持できる。
（２）係止部が、吊りボルトに対してバネ機能を有するものであり位置調整が可能であることで、ドレンアップ配管の長さ・支持状態によって、直ちに取付位置の変更が可能なため、施工性が向上する。
（３）バンド部が、係止部に回転可能に接続されていることで、ドレンアップ配管の長さ・支持状態に応じて垂直方向に取り付けられることに加え、垂直方向のみに縛られず、その時々の自然な立ち上がり角度での施工ができる。
（４）バンド部にドレンアップ配管の破損を防止するための加工が施されていることで、柔らかいドレンアップ配管の保温材部分の破損が防止できる。この際、バンド部に施す加工としては、「リブ加工」「湾曲加工」「樹脂材料のディッピング・コーティング」などが挙げられる。
（５）バンド部にアジャスト機能を備えること、または、バンド部とドレンアップ配管との間にアジャスト部材を介在させることにより、１サイズのバンドで複数サイズの配管に対応ができる。
（６）係止部とバンド部の間に介在させるオフセット部を備えることで、例えば、機器の種類や配管の長さ、施工状況によって係止部で係止する吊りボルト方向に、ドレンアップ配管が引っ張られる（寄っていく）施工を防ぐことができる。
（７）係止部とバンド部の間に介在させるオフセット部を、係止部又は／及びバンド部に備える構造とした場合、例えば、機器の種類や配管の長さ、施工状況によって係止部で係止する吊りボルト方向に、ドレンアップ配管が引っ張られる（寄っていく）施工を防ぐことができる。
（８）係止部とバンド部の間に介在させるオフセット部を、部品を追加し調整できる構造とした場合、部品の数や形状・厚みを変更することにより、制限無く多様な調整が可能となる。
（９）係止部とバンド部の間に介在させるオフセット部を、係止部又は／及びバンド部との一体構造で調整できるものとした場合、無段階の調整ができ、また部品点数が増えることがない。
【図面の簡単な説明】
【０００９】
【図１】ドレンアップ配管用支持金具の第１実施形態を示す説明図。
【図２】ドレンアップ配管用支持金具の第２実施形態を示す説明図。
【図３】ドレンアップ配管用支持金具の第３実施形態を示す説明図。
【図４】ドレンアップ配管用支持金具の第４実施形態を示す説明図。
【図５】ドレンアップ配管用支持金具の第５実施形態を示す説明図。
【図６】ドレンアップ配管用支持金具の第６実施形態を示す説明図。
【図７】ドレンアップ配管用支持金具の第７実施形態を示す説明図。
【図８】ドレンアップ配管用支持金具の第８実施形態を示す説明図。
【図９】ドレンアップ配管用支持金具の第９実施形態を示す説明図。
【図１０】ドレンアップ配管用支持金具の第１０実施形態を示す説明図。
【図１１】ドレンアップ配管用支持金具の第１１実施形態を示す説明図。
【図１２】ドレンアップ配管用支持金具の第１２実施形態を示す説明図。
【図１３】ドレンアップ配管用支持金具の第１３実施形態を示す説明図。
【図１４】ドレンアップ配管用支持金具の第１４実施形態を示す説明図。
【図１５】ドレンアップ配管用支持金具の第１５実施形態を示す説明図。
【図１６】ドレンアップ配管用支持金具の第１６実施形態を示す説明図。
【図１７】ドレンアップ配管用支持金具の第１７実施形態を示す説明図。
【図１８】ドレンアップ配管用支持金具の第１８実施形態を示す説明図。
【図１９】ドレンアップ配管用支持金具の第１９実施形態を示す説明図。
【図２０】ドレンアップ配管用支持金具の第２０実施形態を示す説明図。
【図２１】ドレンアップ配管用支持金具の第２１実施形態を示す説明図。
【図２２】ドレンアップ配管用支持金具の第２２実施形態を示す説明図。
【図２３】ドレンアップ配管用支持金具の第２３実施形態を示す説明図。
【図２４】ドレンアップ配管用支持金具の第２４実施形態を示す説明図。
【図２５】ドレンアップ配管用支持金具の第２５実施形態を示す説明図。
【図２６】ドレンアップ配管用支持金具の第２６実施形態を示す説明図。
【発明を実施するための形態】
【００１０】
本願発明の実施形態を図面に基づいて説明する。なお、図面に図示する実施形態は本願発明の一例であり、これに限定されるものでは無い。
図１は、ドレンアップ配管用支持金具の第１実施形態を示す説明図である。
図１に図示するように、ドレンアップ配管用支持金具１０は、空調機器を吊り下げている吊りボルト及び／又はその近傍の吊りボルト並びにそれらの吊りボルトに取り付けられている全ネジボルトに係止する係止部２０と、係止部２０に接続し、ドレンアップ配管をその延伸方向に支持可能なバンド部３０と、を備えるものである。そして、係止部２０は、吊りボルトに対してバネ機能を有するものであり位置調整できるようになっている。
【００１１】
図２は、ドレンアップ配管用支持金具の第２実施形態を示す説明図である。
図２に図示するように、ドレンアップ配管用支持金具１０ｂの係止部２０ｂが、吊りボルト８０に対してバネ機能を有するものであり位置調整できるようになっている。
【００１２】
図３は、ドレンアップ配管用支持金具の第３実施形態を示す説明図である。
図３に図示するように、ドレンアップ配管用支持金具１０ｃの係止部２０ｃが、吊りボルト８０に対してバネ機能を有するものであり位置調整できるようになっている。
【００１３】
図４は、ドレンアップ配管用支持金具の第４実施形態を示す説明図である。
図４に図示するように、ドレンアップ配管用支持金具１０ｄのバンド部３０ｄが、係止部２０ｄに固定して接続されている。
【００１４】
図５は、ドレンアップ配管用支持金具の第５実施形態を示す説明図である。
図５に図示するように、ドレンアップ配管用支持金具１０ｅのバンド部３０ｅが、係止部２０ｅに回転可能に接続されている。
【００１５】
図６は、ドレンアップ配管用支持金具の第６実施形態を示す説明図である。
図６に図示するように、ドレンアップ配管用支持金具１０ｆのバンド部３０ｆが、係止部２０ｆに所定の角度で維持できる凹凸を形成し回転可能に接続されている。
【００１６】
図７は、ドレンアップ配管用支持金具の第７実施形態を示す説明図である。
図７に図示するように、ドレンアップ配管用支持金具１０ｇのバンド部３０ｇが、係止部２０ｇに曲面で接することにより首振り可能に（所定の首ふり幅・角度を有して）接続されている。
【００１７】
図８は、ドレンアップ配管用支持金具の第８実施形態を示す説明図である。
図８に図示するように、ドレンアップ配管用支持金具１０ｈの係止部２０ｈとバンド部３０ｈを、リベット・溶接・ボルト及びナット等で直接的に接続したものである。
【００１８】
図９は、ドレンアップ配管用支持金具の第９実施形態を示す説明図である。
図９に図示するように、ドレンアップ配管用支持金具１０ｉの係止部２０ｉとバンド部３０ｉの間にオフセット部４０ｉを介在させたものであり、そのオフセット部４０ｉが、バンド部３０ｉと一体形成されているものである。
【００１９】
図１０は、ドレンアップ配管用支持金具の第１０実施形態を示す説明図である。
図１０に図示するように、ドレンアップ配管用支持金具１０ｊの係止部２０ｊとバンド部３０ｊの間に調整可能なオフセット部４０ｊを介在させたものであり、そのオフセット部４０ｊ（スライド機構）が、係止部２０ｊとバンド部３０ｊの間の寸法を無段階に調整可能とするものである。
【００２０】
図１１は、ドレンアップ配管用支持金具の第１１実施形態を示す説明図である。
図１１に図示するように、ドレンアップ配管用支持金具１０ｋの係止部２０ｋとバンド部３０ｋの間に調整可能なオフセット部４０ｋを介在させたものであり、そのオフセット部４０ｋ（スペーサー）が、係止部２０ｋとバンド部３０ｋの間の寸法を多様に調整可能とするものである。
【００２１】
図１２は、ドレンアップ配管用支持金具の第１２実施形態を示す説明図である。
図１２に図示するように、バンド部３０ｌに挿入したドレンアップ配管とアジャストするためにバンド部３０ｌとドレンアップ配管との間に介在させるアジャスター部材５０ｌをバンド部３０ｌに取り付けたものである。
【００２２】
図１３は、ドレンアップ配管用支持金具の第１３実施形態を示す説明図である。
図１３に図示するように、バンド部３０ｍに挿入したドレンアップ配管とアジャストするためにバンド部３０ｍの開閉部を係止孔３１ｍによって調整できるようにしたものである。
【００２３】
図１４は、ドレンアップ配管用支持金具の第１４実施形態を示す説明図である。
図１４に図示するように、バンド部３０ｎに挿入したドレンアップ配管９０とアジャストするためにバンド部３０ｎの形状を楕円にするとともに、その開放された一端をボルト・ナット等の締結具７０で締結したものである。
【００２４】
図１５は、ドレンアップ配管用支持金具の第１５実施形態を示す説明図である。
図１５に図示するように、バンド部３０ｏに挿入したドレンアップ配管９０とアジャストするためにバンド部３０ｏの形状を楕円にするとともに、その開放された両端をボルト・ナット等の締結具７０で締結したものである。
【００２５】
図１６は、ドレンアップ配管用支持金具の第１６実施形態を示す説明図である。
図１６に断面で図示するように、バンド部３０ｐに挿入したドレンアップ配管９０とアジャストするためにバンド部３０ｐの一部を内側へ切り起こした加工部３２ｐを備えたものである。
【００２６】
図１７は、ドレンアップ配管用支持金具の第１７実施形態を示す説明図である。
図１７に図示するように、ドレンアップ配管用支持金具１０ｑのバンド部３０ｑが、ドレンアップ配管９０の破損を防止するためにリブ加工などを施しているものである。具体的には、３３ｑ１〜３３ｑ５はバンドの加工、３３ｑ６はバンドの被覆の例を示す。
【００２７】
図１８は、ドレンアップ配管用支持金具の第１８実施形態を示す説明図である。
図１８に図示するように、ドレンアップ配管用支持金具１０ｒのバンド部３０ｒが、ドレンアップ配管を挿入するために、バンド側部側で開閉自在としているものである。
【００２８】
図１９は、ドレンアップ配管用支持金具の第１９実施形態を示す説明図である。
図１９に図示するように、ドレンアップ配管用支持金具１０ｓのバンド部３０ｓが、ドレンアップ配管を挿入するために、バンド頂部側で開閉自在としているものである。
【００２９】
図２０は、ドレンアップ配管用支持金具の第２０実施形態を示す説明図である。
図２０に図示するように、ドレンアップ配管用支持金具１０ｔのバンド部３０ｔが、ドレンアップ配管を挿入するために、バンド底部側で開閉自在としているものである。
【００３０】
図２１は、ドレンアップ配管用支持金具の第２１実施形態を示す説明図である。
図２１に図示するように、ドレンアップ配管用支持金具１０ｕのバンド部３０ｕが、ドレンアップ配管を挿入するために開閉自在とする嵌合部の構造（差込嵌合）である。
【００３１】
図２２は、ドレンアップ配管用支持金具の第２２実施形態を示す説明図である。
図２２に図示するように、ドレンアップ配管用支持金具１０ｖのバンド部３０ｖが、ドレンアップ配管を挿入するために開閉自在とする嵌合部の構造（バネ嵌合：その１）である。
【００３２】
図２３は、ドレンアップ配管用支持金具の第２３実施形態を示す説明図である。
図２３に図示するように、ドレンアップ配管用支持金具１０ｗのバンド部３０ｗが、ドレンアップ配管を挿入するために開閉自在とする嵌合部の構造（バネ嵌合：その２）である。
【００３３】
図２４は、ドレンアップ配管用支持金具の第２４実施形態を示す説明図である。
図２４に図示するように、ドレンアップ配管用支持金具１０ｘのバンド部３０ｘが、結束バンドで構成されているものである。
【００３４】
図２５は、ドレンアップ配管用支持金具の第２５実施形態を示す説明図である。
図２５に図示するように、ドレンアップ配管用支持金具１０ｙのバンド部３０ｙが、自在にアジャストできるバンドで構成されているものである。
【００３５】
図２６は、ドレンアップ配管用支持金具の第２６実施形態を示す説明図である。
図２６に図示するように、ドレンアップ配管用支持金具１０ｚのバンド部３０ｚが、線材（金属製の線材等）で構成されているものである。
【産業上の利用可能性】
【００３６】
本願発明に係るドレンアップ配管用支持金具は、ドレンアップ配管を支持するために広く利用できる。
【符号の説明】
【００３７】
１０  ドレンアップ配管用支持金具
２０  係止部
３０  バンド部
４０  オフセット部
８０  吊りボルト
９０  ドレインアップ配管
【図１】
2017110871.tif 000003
【図２】
2017110871.tif 000004
【図３】
2017110871.tif 000005
【図４】
2017110871.tif 000006
【図５】
2017110871.tif 000007
【図６】
2017110871.tif 000008
【図７】
2017110871.tif 000009
【図８】
2017110871.tif 000010
【図９】
2017110871.tif 000011
【図１０】
2017110871.tif 000012
【図１１】
2017110871.tif 000013
【図１２】
2017110871.tif 000014
【図１３】
2017110871.tif 000015
【図１４】
2017110871.tif 000016
【図１５】
2017110871.tif 000017
【図１６】
2017110871.tif 000018
【図１７】
2017110871.tif 000019
【図１８】
2017110871.tif 000020
【図１９】
2017110871.tif 000021
【図２０】
2017110871.tif 000022
【図２１】
2017110871.tif 000023
【図２２】
2017110871.tif 000024
【図２３】
2017110871.tif 000025
【図２４】
2017110871.tif 000026
【図２５】
2017110871.tif 000027
【図２６】
2017110871.tif 000028